(57)【要約】【課題】  片手が不自由で、食器の洗浄作業が困難な場合に、便利で、簡単に洗浄できる簡易な食器洗浄具を提供する。【解決手段】  支保台座にお椀形の台床を設け、台床の縁端部の一定の対象的な位置２箇所において、帯状の折返し部を、お椀頭頂部の手前まで伸ばし、Ｕ字形湾曲ホルダーを形成し、相対するＵ字形湾曲ホルダーの中間部にＵ字形湾曲ホルダーと直行する方向にクレバス状の湾曲ホルダーを形成し、Ｕ字形湾曲ホルダー及びクレバス状の湾曲ホルダーの内側の適所にスポンジタワシの定着を補強する複数の突起を設け、各々のホルダーの内側に洗浄用のスポンジタワシを二つ折り状に装着したことを特徴とする簡易な食器洗浄具。【選択図】図３
2010253213.tif 000002
【特許請求の範囲】
【請求項１】
支保台座にお椀形の台床を設け、台床の縁端部の一定の対象的な位置２箇所において、帯状の折返し部を、お椀頭頂部の手前まで伸ばし、Ｕ字形湾曲ホルダーを形成し、相対するＵ字形湾曲ホルダーの中間部にＵ字形湾曲ホルダーと直行する方向にクレバス状の湾曲ホルダーを形成し、Ｕ字形湾曲ホルダー及びクレバス状の湾曲ホルダーの内側の適所にスポンジタワシの定着を補強する複数の突起を設け、各々のホルダーの内側に洗浄用のスポンジタワシを二つ折り状に装着したことを特徴とする簡易な食器洗浄具。
【発明の詳細な説明】
【技術分野】
【０００１】  本発明は、食器の洗浄時に、すべり落としを防ぎ、手に障害のある人でもスムーズに作業できる簡易食器洗浄具に関するものである。
【背景技術】
【０００２】  食器を清潔にするため、自動食器洗浄機を使用する以外は、手洗いとなり調理流し台や、水槽等で、刷毛ブラシ、又は、スポンジタイプのブラシ、タオル形状の布等で汚れや、食べ物カスを洗浄するのが一般的である。
【発明の開示】
【発明が解決しようとする課題】
【０００３】（イ）食器の手洗い洗浄の多くは、片手で食器を掴み、他方の手に洗剤を塗布したスポンジブラシや、布を持ち、擦りながら洗浄するが、食器を持つ手に洗剤が付着すると、滑りを生じ作業中に食器を落とすことが往々にしてある。
（ロ）又、手首の弱い人や、片手に障害持つ人達の行う洗浄作業は、大変な労苦であり、
本発明は、これらの問題点を解決するためになされたものである。
【課題を解決するための手段】
【０００４】  支保台座にお椀形の台床を設け、台床の縁端部の一定の対象的な位置２箇所において、帯状の折返し部をお椀頭頂部の手前まで伸ばしＵ字形湾曲ホルダーを形成し、Ｕ字形湾曲ホルダー内側の適所には、挿入するスポンジタワシの定着を補強する複数の突起を設ける。又、相対するＵ字形湾曲ホルダーの中間部にＵ字形湾曲ホルダーと直行する方向にクレバス状の湾曲ホルダーを形成し、内側の適所には、挿入するスポンジタワシの定着を補強する複数の突起を設ける。Ｕ字形湾曲ホルダー及びクレバス状の湾曲ホルダーの内側に洗浄用のスポンジタワシを二つ折り状に装着する。
以上を特徴とする簡易な食器洗浄具である。
【発明の効果】
【０００５】  洗浄作業時の安定を保つ支保台座と一体に形成したホルダー台床に設けたＵ字形湾曲ホルダー、及びクレバス状の湾曲ホルダーに挿入した二つ折りの洗浄用スポンジタワシの狭間に挿入された食器は、柔軟に包み込まれ且つ、しっかり保持され、両手を離しても滑落、転倒することなく片手での擦りや、回転等の洗浄作業が可能になった。
【発明を実施するための最良の形態】
【０００６】  以下、本発明の実施の形態を説明する。
（イ）支保台座（５）にお椀形のホルダー台床（４）を設け、ホルダー台床（４）の縁端部の一定の対象的な位置２箇所において、帯状の折返し部をお椀形のホルダー台床（４）の頭頂部の手前まで伸ばし、Ｕ字形湾曲ホルダー（２）を形成する。
（ロ）Ｕ字形湾曲ホルダー（２）内側の適所には、挿入するスポンジタワシ（６）の定着を補強する複数の突起（１）を設ける。
（ハ）又、相対するＵ字形湾曲ホルダー（２）の中間部にＵ字形湾曲ホルダー（２）と直行する方向にクレバス状湾曲ホルダー（３）を形成し、その内側の適所には、挿入するスポンジタワシ（６）の定着を補強する複数の突起（１）を設ける。
（ニ）Ｕ字形湾曲ホルダー（２）及びクレバス状湾曲ホルダー（３）の内側に洗浄用のスポンジタワシ（６）を二つ折り状に装着する。
本発明は、以上のような構成でこれを使用するときは
（イ）Ｕ字形湾曲ホルダー（２）及びクレバス状湾曲ホルダー（３）の内部に適度な肉厚の洗浄用スポンジタワシ（６）を二つ折りに折畳み挿入すると、自身の弾力性により内壁面や、向い合う面どうしは、点在する複数の突起（１）と押しあい絡まり繋留、定着する一方、柔軟な隙間の無い密着状態を形成する。
（ロ）クレバス状湾曲ホルダー（３）に装着の洗浄用スポンジタワシ（６）の密着する狭間に皿形食器（８）を、挿し入れると、表面は柔軟に覆い尽くされ、滑落、転倒の恐れも無くなり保持され自立状態となる。
（ハ）上述のとおり、クレバス状湾曲ホルダー（３）に装着の洗浄用スポンジタワシ（６）は、内部に点在する複数の突起に（１）より、確実に繋留され安定、定着し、この洗浄用スポンジタワシ（６）に包まれた皿形食器（８）は、擦りや、上下、回転等の動作による円滑な洗浄作業ができ、両手を使うことなく片手でも容易に作業を行うことが可能になった。尚、クレバス状湾曲ホルダー（３）においては、扁平な、皿状の食器を洗浄するのに適している。
（ニ）同様に、Ｕ字形湾曲ホルダー（２）においても、容易で快適な洗浄作業ができ、食器（７）をホルダー台床（４）の頭頂部から被せ、周縁部を洗浄用スポンジタワシ（６）の狭間に挿しいれ、難なく片手での作業が可能になった。尚、このＵ字形湾曲ホルダー（２）においては、円形な、お椀形の食器（７）を洗浄するのに適している。
（ホ）ホルダー台床（４）を取付ける支保台座（５）は、シンク上や、水槽内での洗浄作業を行うに適した位置への配置が望まれ、固定方法等については、周知の部材や、パーツを利用して構成をするのもよい。
（ヘ）Ｕ字形湾曲ホルダー（２）、ならびにクレバス状湾曲ホルダー（３）を形成するホルダー台床（４）及び、支保台座（５）は、弾力性のある素材で形成することが好ましく、食器（７）及び皿形食器（８）の出し入れ作業が容易になる他、洗浄用スポンジタワシ（６）の弾力性との相乗効果で食器（７）及び皿形食器（８）への圧押し力が増し洗浄能力の向上へつながる。
（ト）スポンジタワシ（６）は、洗浄作業の頻度により消耗し適宜に交換を必要とするが、その交換作業に際しても、弾力性のある素材で形成すると容易な着脱が期待できる。
（チ）又、上述のＵ字形湾曲ホルダー部（２）、ならびにクレバス状湾曲ホルダー（３）の縁端部に、ずれ防止としてのまわり縁を設ければ、一層確実な洗浄用スポンジタワシ（６）の抑止効果も生まれ好ましい。
（リ）尚、本説明では、ホルダー台床（４）及び支保台座（５）を形成する素材を、円形、板状の集積部材での解説をしているが、線材や、パイプフレーム式でも強度に問題がない素材なら構造上なんら支障はない。
（ヌ）又、スポンジタワシ（６）については、布や、刷毛ブラシを用いても支障はない。
【図面の簡単な説明】
【０００７】
【図１】  本発明の斜視図
【図２】  本発明の断面図
【図３】  本発明の実施例を示す斜視図
【符号の説明】
【０００８】１      突起
２      Ｕ字形湾曲ホルダー
３      クレバス状湾曲ホルダー
４      ホルダー台床
５      支保台座
６      スポンジタワシ
７      食器
８      皿形食器
【図１】
2010253213.tif 000003
【図２】
2010253213.tif 000004
【図３】
2010253213.tif 000005